(57)【要約】【課題】傷発生を防止するのみならず、使用時には外れにくく、交換時には容易に交換して着せ替えができる、見映えがよく、商品性の高い携帯電子機器を提供する。【解決手段】カバー２０に電話機本体１０（電子機器本体）背面を覆う平面部２１と、この平面部２１に設けられ、中央に表示部５及び操作部１１を露出させるカバー側窓部２２を有して正面側周縁１５（電子機器本体周縁）を覆う枠部２３とを設ける。電話機本体１０を、カバー２０の平面部２１及び枠部２３に挿入した状態で、表示部５及び操作部１１を露出させる固定部材側窓部３１を有する板状の固定部材３０と枠部２３を挟むようにして締結部材１３によって締結する。【選択図】図６
2007235825.tif 000002
【特許請求の範囲】
【請求項１】
電子機器本体の少なくとも背面側がカバーで覆われた携帯電子機器であって、
上記カバーは、上記電子機器本体背面を覆う平面部と、該平面部に設けられ、中央に表示部及び操作部を露出させるカバー側窓部を有して電子機器本体周縁を覆う枠部とを備え、
上記電子機器本体は、上記カバーの平面部及び枠部に挿入された状態で、上記表示部及び操作部を露出させる固定部材側窓部を有する板状の固定部材と上記枠部を挟むようにして締結部材によって締結されている
ことを特徴とする携帯電子機器。
【請求項２】
請求項１に記載の携帯電子機器において、
上記電子機器本体の周縁には、上記固定部材の位置決めをするための係合用溝が形成され、
上記固定部材の裏面には、上記係合用溝に係合する係合用リブが形成されている
ことを特徴とする携帯電子機器。
【請求項３】
請求項２に記載の携帯電子機器において、
上記係合用溝は、上記表示部及び操作部を囲むように連続して形成されている
ことを特徴とする携帯電子機器。
【請求項４】
請求項２又は３に記載の携帯電子機器において、
上記固定部材には、上記電子機器本体に設けた受話部に対応するように受話部用貫通孔が形成され、送話部に対応するように送話部用貫通孔が形成されている
ことを特徴とする携帯電子機器。
【請求項５】
請求項１乃至４のいずれか１つに記載の携帯電子機器において、
上記枠部の下側には、上記電子機器本体を挿入するための開口が形成されている
ことを特徴とする携帯電子機器。
【請求項６】
請求項１乃至５のいずれか１つに記載の携帯電子機器において、
上記カバーは、本革を材料としている
ことを特徴とする携帯電子機器。
【請求項７】
請求項１乃至５のいずれか１つに記載の携帯電子機器において、
上記カバーは、合成皮革で構成されている
ことを特徴とする携帯電子機器。
【請求項８】
請求項１乃至５のいずれか１つに記載の携帯電子機器において、
上記カバーは、布で構成されている
ことを特徴とする携帯電子機器。
【請求項９】
請求項１乃至８いずれか１つに記載の携帯電子機器において、
上記固定部材は、樹脂成形品で構成されている
ことを特徴とする携帯電子機器。
【請求項１０】
請求項１乃至８のいずれか１つに記載の携帯電子機器において、
上記固定部材は、金属材料で構成されている
ことを特徴とする携帯電子機器。
【請求項１１】
請求項１乃至１０のいずれか１つに記載の携帯電子機器において、
携帯電話機である
ことを特徴とする携帯電子機器。
【発明の詳細な説明】
【技術分野】
【０００１】
本発明は、カバーを装着した携帯電子機器に関する。
【背景技術】
【０００２】
携帯電話機は全国でますます普及し、メールや電話をする人が増えている。そして携帯するが故に持ち運び落としてしまうことも度々あり、携帯電話機の外観を傷付けてしまう。
【０００３】
そのため、落としても傷を付けにくくするために、カバーを設けるものが知られている。このようなカバーを設けても、すぐにカバーを脱着して使用可能にしたり、またカバーを付たままで使用可能にするよう工夫されている。
【０００４】
例えば、特許文献１には、携帯電話機を収納するカバーで、ベルト等に装着し、脱着を素早く行え、携帯電話機を収納したままで通話が行えるカバー装置が開示されている。
【０００５】
また、特許文献２には、カバーの上下の折り返しでベルト装着用のループを構成し、使用時には、カバーに折り返し部を密着して邪魔にならないようにすることが記載されている。
【０００６】
また、特許文献３には、機器本体を収めた筐体及びこの筐体を固着するシート部を有する本体部と、この本体部に被着するカバーとを有する小型電子機器において、前記本体部の前記シート部は、前記筐体よりも側方に突出するフランジ部を有し、前記カバーは、前記フランジ部に係止させて前記シート部に被着する袋状の周辺部を外縁部に有する小型電子機器が開示されている。
【特許文献１】特開平１１−２８５４０８号公報
【特許文献２】特開平１１−２９９５２２号公報
【特許文献３】特開２００５−１３６２６１号公報
【発明の開示】
【発明が解決しようとする課題】
【０００７】
ところで、近年、携帯電話機の外観を変えるアクセサリが用いられている。すなわち、気分によって日替わりで違うアクセサリを付けたり、季節によってアクセサリを変えたり、仕事やプライベートでアクセサリを変えたり、会う相手によってアクセサリを変えたりするというニーズがある。
【０００８】
しかしながら、従来の携帯電話機等の携帯電子機器では、携帯電話機の傷発生を防止したり、使用者の体が触れたときの不快感を防ぐことはできるものの、容易にＴＰＯに合わせて外観を変えることができなかった。つまり、上記特許文献３には、着脱自在なカバーが開示されているが、実際には、フランジ部と袋状の周辺部とを接着しないと、開閉時にカバーがフランジ部に対して動いてしまうので、容易にカバーが外れてしまう。これを防ぐためには、フランジ部とカバーとを接着せざるを得ず、結果としてカバーを着脱自在に構成できないという問題がある。
【０００９】
本発明は、かかる点に鑑みてなされたものであり、その目的とするところは、傷発生を防止するのみならず、使用時には外れにくく、交換時には容易に交換して着せ替えができる、見映えがよく、商品性の高い携帯電子機器を提供することにある。
【課題を解決するための手段】
【００１０】
上記目的を達成するために、第１の発明では、電子機器本体の少なくとも背面側がカバーで覆われた携帯電子機器であって、
上記カバーは、上記電子機器本体背面を覆う平面部と、該平面部に設けられ、中央に表示部及び操作部を露出させるカバー側窓部を有して電子機器本体周縁を覆う枠部とを備え、
上記電子機器本体は、上記カバーの平面部及び枠部に挿入された状態で、上記表示部及び操作部を露出させる固定部材側窓部を有する板状の固定部材と上記枠部を挟むようにして締結部材によって締結されている。
【００１１】
上記の構成により、電子機器本体は、固定部材により、カバーの平面部及び枠部に挟まれた状態で締結部材で締め付けられる。このため、カバーが電子機器本体に堅固に取り付けられているので、意図せず剥がれることはなく、枠部が板状の固定部材で押さえつけられるように電子機器本体に締結されているので、カバーの端部がユーザーの耳等に当たって不快感を与えることがない。また、窓部から表示部及び操作部が露出するので、カバーを設けていても、操作性、視認性を低下させることなく携帯電子機器が使用される。また、締結部材を外すことにより、容易に固定部材を外して、カバーの交換が行われる。
【００１２】
第２の発明では、上記電子機器本体の周縁には、上記固定部材の位置決めをするための係合用溝が形成され、
上記固定部材の裏面には、上記係合用溝に係合する係合用リブが形成されている。
【００１３】
上記の構成によると、電子機器本体の係合用溝に固定部材の係合用リブが係合するので、カバーが電子機器本体に正確に位置決めされた状態で取り付けられる。したがって、カバーを設けていても、カバーがずれることはないので、さらに操作性、可視性を低下させることなく携帯電子機器の使用が可能になる。
【００１４】
第３の発明では、上記係合用溝は、上記表示部及び操作部を囲むように連続して形成されている。
【００１５】
上記の構成によると、係合用リブが表示部及び操作部を囲む係合用溝に係合するので、固定部材は確実に位置決めされ、ずれることはない。
【００１６】
第４の発明では、上記固定部材には、上記電子機器本体に設けた受話部に対応するように受話部用貫通孔が形成され、送話部に対応するように送話部用貫通孔が形成されている。
【００１７】
上記の構成によると、固定部材は、電子機器本体に締結されているので、正確に位置決めされ、受話部及び送話部が固定部材に覆われることがなく、音がこもったり、聞き取りにくくなることはない。
【００１８】
第５の発明では、上記枠部の下側には、上記電子機器本体を挿入するための開口が形成されている。
【００１９】
上記の構成によると、カバーの開口から電子機器本体を挿入することで無理なくカバーが取り付けられる。
【００２０】
第６の発明では、上記カバーは、本革で構成されている。
【００２１】
上記の構成により、本革によって動物が持つ自然の手触りや匂いを楽しむことができる。
【００２２】
第７の発明では、上記カバーは、合成皮革で構成されている。
【００２３】
上記の構成により、合成皮革は、材質や加工方法によって表面にいろいろな装飾を施すことができると共に、手入れが容易である。
【００２４】
第８の発明では、上記カバーは、布で構成されている。
【００２５】
上記の構成により、汚れれば取り外して洗うことも可能となる。
【００２６】
第９の発明では、上記固定部材は、樹脂成形品とする。
【００２７】
上記の構成により、加工が容易でカバーの材質に合わせた色調や質感を選択できるので、ファッション性が向上する。また、剛性が高く、固定部材に受話部用及び送話部用貫通孔を設けてもその貫通孔がずれないので、受話部や送話部を塞いでしまうことがない。
【００２８】
第１０の発明では、上記固定部材は、金属材料で構成されるものとする。
【００２９】
上記の構成により、金属材料特有の質感を味わえ、また、剛性が高く、固定部材に受話部用及び送話部用貫通孔を設けてもその貫通孔がずれないので、受話部や送話部を塞いでしまうことがない。
【００３０】
第１１の発明では、携帯電子機器を携帯電話機とする。
【００３１】
上記の構成より、高級感、ファッショ性のある携帯電話機が得られる。
【発明の効果】
【００３２】
以上説明したように、固定部材により、電子機器本体をカバーの平面部及び枠部に挟んだ状態で締結部材で締め付けている。このため、傷発生を防止するのみならず、使用時には外れにくく、交換時には容易に交換して着せ替えができる、見映えがよく、商品性の高い携帯電子機器を提供することができる。
【発明を実施するための最良の形態】
【００３３】
以下、本発明の実施形態を図面に基づいて説明する。
【００３４】
図１は、本発明の実施形態に係る携帯電子機器としての携帯電話機１を右方向から見た斜視図である。図２は、携帯電話機１の正面図である。図３は、図２のIII−III線断面図である。図４は、図２のIV−IV線断面図である。図５は、図４のＶ部拡大断面図である。図６は、電話機本体１０と、固定部材３０と、カバー２０と、締結部材１３の分解斜視図を示す。
【００３５】
図１及び図２に示すように、本実施形態の携帯電話機１は、略矩形状の電話機本体１０を有し、この電話機本体１０の内部に携帯電話機１の機器が内蔵されている。
【００３６】
上記電話機本体１０の正面側には、表示部５、受話部８、機能ボタン６及び情報入力ボタン７を有する操作部１１、送話部９等が設置されている。
【００３７】
図６にも示すように、上記電話機本体１０の背面は、カバー２０に覆われている。カバー２０は、本革で構成されているが、合成皮革や布で構成してもよく、これらの複合材料であってもよい。カバー２０は、電話機本体１０背面を覆う平面部２１と、電話機本体１０側面を覆う枠部２３とを備えている。枠部２３は、平面部２１に設けられ、中央に上記表示部５及び操作部１１を露出させるカバー側窓部２２を有している。枠部２３は、下側に開口４０を有している。
【００３８】
図４乃至図６に示すように、電話機本体１０の正面側周縁（電子機器本体周縁）１５は、表示部５及び操作部１１よりも若干低く成形され、固定部材３０の位置決めをするための係合用溝１５ａが形成されている。例えば、係合用溝１５ａは、表示部５及び操作部１１の全周を囲むように連続して形成されている。正面側周縁１５の四角には、締結部材１３を締結するためのネジ穴１５ｂが形成されている。本実施形態では、係合用溝１５ａを連続するものとしているが、非連続の複数の穴で形成してもよい。
【００３９】
上記電話機本体１０の正面側周縁１５に上記固定部材３０が嵌め込まれるようになっている。この固定部材３０は、表示部５を囲む固定部材側窓部３１を有する平面視略Ｏ字状の薄板の樹脂成形品よりなり、電話機本体１０に設けた受話部８に対応するように上辺部中央には、受話部用貫通孔３２が形成され、送話部９に対応するように下辺部中央には、送話部用貫通孔３４が形成されている。その四角には、ビス挿通孔３３が形成されている。固定部材３０の裏面には、上記係合用溝１５ａに係合する連続した係合用リブ３５が形成されている。なお、この係合用リブ３５は、非連続のものであってもよいが、少なくとも、固定部材３０の各辺に１つずつ設けられていればよい。
【００４０】
−カバーの成形方法−
上記カバー２０の成形方法について説明する。
【００４１】
まず、本革を電話機本体１０よりも横幅及び長さを大きくカットし、上記平面部２１に相当する部分を形成する。
【００４２】
次いで、図５に拡大して示すように、その平面部２１の周縁を折り畳んでノリ部２１ａを形成する。
【００４３】
一方、電話機本体１０の周縁を覆うように、枠状の枠部２３を形成する。枠部２３の下側は開口４０を設けておく。
【００４４】
枠部２３の周縁に上記ノリ部２１ａに挿入されるフランジ部２３ａをそれぞれ形成する。
【００４５】
次いで、フランジ部２３ａをそれぞれノリ部２１ａに挿入した状態でミシンで縫う。
【００４６】
−組付手順−
次に、図６を用いてカバー２０の組付手順について説明する。
【００４７】
上記電話機本体１０と、固定部材３０と、カバー２０と、締結部材１３とを組み付けるには、まず、枠部２３の開口４０から電話機本体１０を挿入する（矢印Ｐで示す）。開口４０から電話機本体１０を挿入することで、無理なくカバー２０が取り付けられる。
【００４８】
このとき、カバー側窓部２２から表示部５及び操作部１１が露出するようにする。このことで、カバー２０を設けていても、操作性、視認性を低下させることなく携帯電話機１を使用することができる。
【００４９】
次いで、固定部材３０を正面側周縁１５に嵌め込み（矢印Ｑで示す）、正面側周縁１５の係合用溝１５ａに係合用リブ３５を挿入して位置決めを行い、そのビス挿通孔３３に締結部材１３を挿通し、ネジ穴１５ｂに締結する。このことで、カバー２０が電話機本体１０に正確に位置決めされた状態で取り付けられるので、カバー２０を設けていても、カバー２０がずれることはない。固定部材３０は、樹脂成形品であるので、加工が容易でカバー２０の材質に合わせた色調や質感を選択できるので、ファッション性が向上する。また、剛性が高く、固定部材３０に受話部用及び送話部用貫通孔３２，３４を設けてもその貫通孔３２，３４がずれないので、受話部８や送話部９を塞いでしまうことがない。
【００５０】
この段階で、カバー２０の組付が完了となる。
【００５１】
一方、カバー２０の着せ替えをするには、締結部材１３を外してカバー２０を取り外し、上記と逆の動作を行った後、再び上記と同様にして別のカバー２０を組み付ければよい。
【００５２】
−実施形態の効果−
したがって、本実施形態にかかる携帯電話機１によると、カバー２０が電話機本体１０に堅固に取り付けられているので、意図せず剥がれることはなく、枠部２３が板状の固定部材３０で押さえつけられるように電話機本体１０に締結されているので、カバー２０の端部がユーザーの耳等に当たって不快感を与えることがない。したがって、携帯電話機１を傷発生を防止するのみならず、使用時には外れにくく、交換時には容易に交換して着せ替えができる、見映えがよく、商品性の高いものとすることができる。
【００５３】
（その他の実施形態）
本発明は、上記実施形態について、以下のような構成としてもよい。
【００５４】
すなわち、上記実施形態では、固定部材３０は、樹脂成形品としたが、金属材料で構成したもよい。このことで、金属材料特有の質感を味わえ、また、剛性が高く、固定部材３０に受話部用及び送話部用貫通孔３２，３４を設けてもその貫通孔３２，３４がずれないので、受話部８や送話部９を塞いでしまうことがない。
【００５５】
上記実施形態では、携帯電子機器を折畳み式携帯電話機としたが、ＰＨＳ、ＰＤＡ、ＰＣ、電子辞書、電卓等の携帯電子機器でもよい。
【００５６】
なお、以上の実施形態は、本質的に好ましい例示であって、本発明、その適用物や用途の範囲を制限することを意図するものではない。
【産業上の利用可能性】
【００５７】
以上説明したように、本発明は、皮革製などのカバーで覆われた携帯電話機などの携帯電子機器について有用である。
【図面の簡単な説明】
【００５８】
【図１】本発明の実施形態に係わる携帯電話機を右方向から見た斜視図である。
【図２】携帯電話機を示す平面図である。
【図３】図２のIII−III線断面図である。
【図４】図２のIV−IV線断面図である。
【図５】図４のＶ部拡大断面図である。
【図６】電話機本体と固定部材とカバーと締結部材との分解図を示す。
【符号の説明】
【００５９】
１      携帯電話機（携帯電子機器）
５      表示部
８      受話部
９      送話部
１０      電話機本体（電子機器本体）
１１      操作部
１３      締結部材
１５      正面側周縁（電子機器本体周縁）
１５ａ    係合用溝
２０      カバー
２１      平面部
２２      カバー側窓部
２３      枠部
３０      固定部材
３１      固定部材側窓部
３２      受話部用貫通孔
３４      送話部用貫通孔
３５      係合用リブ
４０      開口
【図１】
2007235825.tif 000003
【図２】
2007235825.tif 000004
【図３】
2007235825.tif 000005
【図４】
2007235825.tif 000006
【図５】
2007235825.tif 000007
【図６】
2007235825.tif 000008